(57)【特許請求の範囲】
【請求項１】
少なくとも１台の空調機器と、前記空調機器を集中管理する集中監視装置とを備えた空調管理システムであって、
前記集中監視装置に通信線を介して接続可能な情報処理端末を有し、
前記情報処理端末は、
利用者からの前記空調機器のスケジュール情報の入力を受け付けるスケジュール情報受付部と、
前記スケジュール情報受付部で受け付けた前記スケジュール情報を複数記憶するスケジュール情報管理部と、
前記スケジュール情報管理部に複数記憶された前記スケジュール情報の中から、前記空調機器に送信するスケジュール情報を選択して前記集中監視装置に送信するスケジュール情報送信部とを備え、
前記集中監視装置は、
前記情報処理端末から送信された前記スケジュール情報を前記通信線を介して取得し、取得した前記スケジュール情報を前記空調機器に送信する空調管理システム。
【請求項２】
前記スケジュール情報は、それぞれの前記空調機器のスケジュールに関する情報を含み、前記スケジュールに関する情報は、暖房又は冷房の運転開始時刻の情報、暖房又は冷房の運転停止時刻の情報、および霜取運転の実施タイミングの情報、のうちの少なくとも１つを含んでいる請求項１記載の空調管理システム。
【請求項３】
前記情報処理端末の前記スケジュール情報送信部は、
前記スケジュール情報管理部に複数記憶された前記スケジュール情報の中から、少なくとも翌日分の前記スケジュール情報を選択して前記集中監視装置に送信し、
前記集中監視装置は、
前記情報処理端末から送信された前記スケジュール情報を前記通信線を介して受信するスケジュール情報取得部と、
前記スケジュール情報取得部で取得した前記スケジュール情報を記憶する記憶部と、
翌日分の前記スケジュール情報を前記記憶部から読み出すスケジュール制御演算部と、
前記スケジュール制御演算部で読み出した翌日分の前記スケジュール情報を前記空調機器に送信する制御指令送信部とを備え、
前記空調機器は、
前記集中監視装置から送信された翌日分の前記スケジュール情報を受信し、受信した日の翌日の自己の運転制御を、前記受信した前記スケジュール情報に従って行う請求項１又は請求項２記載の空調管理システム。
【請求項４】
前記情報処理端末は、翌日分に加えて翌々日分の前記スケジュール情報も前記集中監視装置に毎日、送信しており、また、前記集中監視装置は毎日、前記情報処理端末から送信されてくる前記翌日分と前記翌々日分の前記スケジュール情報を前記記憶部に記憶する処理を行っており、
前記集中監視装置は、前記情報処理端末から前記翌日分と前記翌々日分の前記スケジュール情報を取得できなかった場合、前日までに取得して前記記憶部に記憶した前記スケジュール情報の中から、翌日分に相当する前記スケジュール情報を読み出して前記空調機器に送信する請求項３記載の空調管理システム。
【請求項５】
前記集中監視装置は、前記情報処理端末から送信される前記スケジュール情報の取得に失敗し、前記記憶部内に翌日分の前記スケジュール情報が無い場合、予め保持している、基本的なスケジュール内容を特定したベーススケジュール情報を翌日分の前記スケジュール情報として前記空調機器に送信する請求項３又は請求項４記載の空調管理システム。
【請求項６】
前記空調機器は、前記集中監視装置から送信される翌日分の前記スケジュール情報の取得に失敗した場合、その失敗した翌日の自己の運転制御を、予め保持している、基本的なスケジュール内容を特定したベーススケジュール情報に従って行う請求項３〜請求項５の何れか一項に記載の空調管理システム。
【発明の詳細な説明】
【技術分野】
【０００１】
本発明は、空調管理システムに関し、特にスケジュール制御に関するものである。
【背景技術】
【０００２】
従来、複数の空調機器と集中監視装置（組込み機器）とを備えた空調管理システムでは、各空調機器のスケジュール内容を集中監視装置（組込み機器）で管理している。そして、集中監視装置は、自己の保持するスケジュール内容に従い各空調機器に指令を送信し、空調機器のスケジュール制御を行っている（例えば、特許文献１参照）。
【先行技術文献】
【特許文献】
【０００３】
【特許文献１】特開平６−３４７０８３号公報（第２頁、第３頁、図１、図２）
【発明の概要】
【発明が解決しようとする課題】
【０００４】
スケジュール内容は、空調機器の配置グループや曜日により様々であり、例えば、グループ数が５０あり、各曜日ごと、特異日３０日分、スケジュールの種類（例えば、制御スケジュール、除霜スケジュールなど）２種、場合の全パターン数は、５０（グループ数）×(７（曜日数）＋３０（特異日の数)×２（種類数））＝３７００となる。この全てのパターンを集中監視装置で管理するには記憶容量の制約により困難であり、全パターン数よりも少ないパターン数分を集中監視装置で管理しているのが実情である。よって、利用者は、その限られたパターンの中で選択しなければならず、必ずしも利用者が求めるスケジュールとはならない可能性があった。【０００５】
本発明はこのような点に鑑みなされたもので、利用者が求めるスケジュール制御を実現することが可能な空調管理システムを提供することを目的とする。
【課題を解決するための手段】
【０００６】
本発明に係る空調管理システムは、少なくとも１台の空調機器と、空調機器を集中管理する集中監視装置とを備えた空調管理システムであって、集中監視装置に通信線を介して接続可能な情報処理端末を有し、情報処理端末は、利用者からの空調機器のスケジュール情報の入力を受け付けるスケジュール情報受付部と、スケジュール情報受付部で受け付けたスケジュール情報を複数記憶するスケジュール情報管理部と、スケジュール情報管理部に複数記憶されたスケジュール情報の中から、空調機器に送信するスケジュール情報を選択して集中監視装置に送信するスケジュール情報送信部とを備え、集中監視装置は、情報処理端末から送信されたスケジュール情報を通信線を介して取得し、取得したスケジュール情報を空調機器に送信するものである。
【発明の効果】
【０００７】
本発明によれば、利用者が求めるスケジュール制御を実現することが可能な空調管理システムを得ることができる。
【図面の簡単な説明】
【０００８】
【図１】本発明の実施の形態１における空調管理システムのシステム構成の一例を示す図である。
【図２】図１の情報処理端末及び集中監視装置の構成例を示す機能ブロック図である。
【図３】本発明の実施の形態１に係る空調管理システムにおける定時処理でのスケジュール制御の通信シーケンスを示すシーケンス図である。
【図４】本発明の実施の形態１に係る空調管理システムにおける定時以降に、翌日分及び翌々日分のスケジュール内容が変更された場合のスケジュール制御における、通信シーケンスを示すシーケンス図である。
【図５】本発明の実施の形態２に係る空調管理システムにおいて集中監視装置がスケジュール情報の取得を失敗した時の通信シーケンスを示すシーケンス図である。
【図６】本発明の実施の形態３に係る空調管理システムにおいて空調機器がスケジュール情報の取得を失敗した時の通信シーケンスを示すシーケンス図である。
【発明を実施するための形態】
【０００９】
実施の形態１．
図１は、本発明の実施の形態１における空調管理システムのシステム構成の一例を示す図である。
空調管理システムは、複数（ここでは４台）の空調機器１０Ａ〜１０Ｄと、集中監視装置２０と、リモートコントローラー３０と、情報処理端末４０とを備えている。以下、これらの要素を順次説明する。なお、空調機器の台数はここでは４台としたが、これに限られたものではなく１台以上であればよい。
【００１０】
各空調機器１０Ａ〜１０Ｄは、熱源機１１Ａ〜１１Ｄと負荷側機器１２Ａ〜１２Ｄとが冷媒配管１３Ａ〜１３Ｄで接続された構成を有する。なお、ここでは各空調機器１０Ａ〜１０Ｄのそれぞれが、熱源機１台に対して負荷側機器が１台接続された構成を示したが、熱源機１台に対して複数台の負荷側機器が接続された構成であってもよい。
【００１１】
また、熱源機１１Ａ〜１１Ｄと負荷側機器１２Ａ〜１２Ｄとは、通信線５０Ａ〜５０Ｄを介して通信可能に接続されている。負荷側機器１２Ａ〜１２Ｄはここでは同一室内Ｓに配置されて同一グループに分類され、各負荷側機器１２Ａ〜１２Ｄのそれぞれは、このグループの運転操作を行うリモートコントローラー３０に通信線５１を介して接続されている。集中監視装置２０は各空調機器１０Ａ〜１０Ｄに通信線５２を介して通信可能に接続されている。そして、情報処理端末４０は、集中監視装置２０に通信線５３を介して通信可能に接続されている。なお、通信線５０Ａ〜５０Ｄ、５１、５２、５３は有線でも無線でもよい。
【００１２】
図２は、図１の情報処理端末及び集中監視装置の構成例を示す機能ブロック図である。
情報処理端末４０は、キーボード、マウスなどの入力部４１と、液晶パネルなどの表示部４２と、スケジュール情報受付部４３と、スケジュール情報送信部４４と、スケジュール情報管理部４５とを備えている。情報処理端末４０は、コンピュータで構成され、ＣＰＵ、ＲＡＭ及びＲＯＭ等を有する例えばマイクロコンピュータを備えており、ＲＯＭには制御プログラムが記憶されている。そして、ＣＰＵと制御プログラムとによりスケジュール情報受付部４３が機能的に構成されている。また、スケジュール情報送信部４４は例えば通信回路で構成されている。
【００１３】
スケジュール情報受付部４３は、利用者から入力部４１により入力されたスケジュール情報を受け付ける。なお、情報処理端末４０は、スケジュール情報を入力するための入力画面を表示部４２に表示し、その入力画面を見ながら利用者が入力部４１を操作する等してスケジュール情報を自由に入力することが可能となっている。
【００１４】
スケジュール情報管理部４５は、スケジュール情報受付部４３で受け付けたスケジュール情報を複数記憶する。スケジュール情報管理部４５は、通常、組込み機器で構成される集中監視装置２０の後述の記憶部２４よりも大容量のハードディスクなどの記憶装置で構成され、多数のパターンのスケジュール情報を記憶することが可能である。
【００１５】
スケジュール情報送信部４４は、毎日の定時処理として、予め設定された定時になると、スケジュール情報管理部４５に複数記憶されたスケジュール情報の中から、複数の空調機器１０Ａ〜１０Ｄごとの翌日分と翌々日分のスケジュール情報を選択して集中監視装置２０に送信する。
【００１６】
次に、集中監視装置２０について説明する。集中監視装置２０は、スケジュール情報取得部２１と、スケジュール制御演算部２２と、制御指令送信部２３と、記憶装置で構成された記憶部２４とを備えている。集中監視装置２０は、コンピュータで構成され、ＣＰＵ、ＲＡＭ及びＲＯＭ等を有する例えばマイクロコンピュータを備えており、ＲＯＭには制御プログラムが記憶されている。そして、ＣＰＵと制御プログラムとによりスケジュール情報取得部２１及びスケジュール制御演算部２２が機能的に構成されている。また、制御指令送信部２３は例えば通信回路で構成されている。
【００１７】
スケジュール情報取得部２１は、情報処理端末４０から、各空調機器１０Ａ〜１０Ｄごとの翌日分と翌々日分のスケジュール情報を取得し、そのスケジュール情報を記憶部２４に記憶させる。スケジュール情報には例えば、暖房又は冷房の運転開始時刻、停止時刻、霜取運転の実施タイミングなどが設定されている。スケジュール制御演算部２２は、記憶部２４に記憶された複数のスケジュール情報から空調機器１０Ａ〜１０Ｄごとに該当のスケジュール情報を演算（選択）する。制御指令送信部２３は、毎日の定時処理として、予め設定された定時になると、スケジュール制御演算部２２で演算（選択）したスケジュール情報を各空調機器１０Ａ〜１０Ｄのそれぞれに制御指令として送信する。
【００１８】
次に、実施の形態１の空調管理システムにおけるスケジュール制御の動作について図３及び図４を参照して説明する。
【００１９】
図３は、本発明の実施の形態１に係る空調管理システムにおける定時処理でのスケジュール制御の通信シーケンスを示すシーケンス図である。
【００２０】
［利用者の情報処理端末４０へのスケジュール登録］
利用者は、負荷側機器１２Ａ〜１２Ｄごとに、月曜から日曜日までの１週間分の週間スケジュール、特定の日にのみ適用される特異日スケジュール等の任意のスケジュール情報を情報処理端末４０に登録する。特異日スケジュールに登録されている日は、週間スケジュールより優先して特異日スケジュールが実行される。
【００２１】
［情報処理端末４０から集中監視装置２０へのスケジュール情報の送信］
情報処理端末４０のスケジュール情報送信部４４は、予め設定された定時になると、利用者により登録されたスケジュール情報の中で、翌日分のスケジュール情報Ａ１と翌々日分のスケジュール情報Ａ２とを集中監視装置２０に対して送信する（Ｓ１１）。
【００２２】
［集中監視装置２０から空調機器１０Ａ〜１０Ｄへのスケジュール情報の送信］
集中監視装置２０のスケジュール情報取得部２１は、情報処理端末４０から送信されたスケジュール情報Ａ１、Ａ２を取得し、記憶部２４に記憶する。スケジュール制御演算部２２は、予め設定された定時になったときに、各空調機器１０Ａ〜１０Ｄの翌日分のスケジュール情報Ａ１を記憶部２４から読み出し、スケジュール情報Ａ１を制御指令送信部２３を介して各空調機器１０Ａ〜１０Ｄに対して送信する（Ｓ１２）。各空調機器１０Ａ〜１０Ｄは、受信したスケジュール情報Ａ１を内部に記憶する。
【００２３】
なお、ここでは説明の便宜上、各空調機器１０Ａ〜１０Ｄの翌日分のスケジュール情報に対し、同一の符号Ａ１を付したが、スケジュール情報Ａ１の内容は、各空調機器１０Ａ〜１０Ｄのそれぞれにおいて同じに限られず、異なっていてもちろんよい。この点は、後述の他のスケジュール情報においても同様である。
【００２４】
［負荷側の制御］
空調機器１０Ａ〜１０Ｄは、内部に記憶したスケジュール情報Ａ１を日付変更の際に読み出し、スケジュール情報Ａ１に従って自律的に自己の制御を実施する（Ｓ１３）。これにより、負荷側機器１２Ａ〜１２Ｄは、スケジュール情報Ａ１に設定された時刻に、設定されたスケジュール内容の制御を実施する。
【００２５】
図４は、本発明の実施の形態１に係る空調管理システムにおける定時以降に、翌日分及び翌々日分のスケジュール内容が変更された場合のスケジュール制御における、通信シーケンスを示すシーケンス図である。
【００２６】
［利用者の情報処理端末４０へのスケジュール登録の変更］
利用者は、登録済のスケジュール情報に内容の追加、削除などの変更するときは、情報処理端末４０にてスケジュール情報の登録変更を行う。ここでは、定時以降、すなわち、図３の定時のスケジュール情報送信が行われて以降に、翌日分のスケジュール情報Ａ１、Ａ２がスケジュール情報Ａ１ａ、Ａ２ａに変更されたものとする。
【００２７】
［情報処理端末４０から集中監視装置２０へのスケジュール情報の送信］
情報処理端末４０は、利用者によってスケジュール情報の登録が変更されると、変更内容が翌日分又は翌々日分のものかを判定し、該当したときは、集中監視装置２０に対して、変更後のスケジュール情報Ａ１ａ、Ａ２ａを送信する（Ｓ２１）。すなわち、情報処理端末４０は、利用者によって翌日分又は翌々日分のスケジュール情報の登録が変更された場合には、定時以外にもスケジュール情報の送信を行う。
【００２８】
［集中監視装置２０から空調機器１０Ａ〜１０Ｄへのスケジュール情報の送信］
集中監視装置２０のスケジュール情報取得部２１は、情報処理端末４０から送信されたスケジュール情報Ａ１ａ、Ａ２ａを取得し、記憶部２４に記憶する。スケジュール制御演算部２２は、定時になると上述したように各空調機器１０Ａ〜１０Ｄの翌日分のスケジュール情報Ａ１を記憶部２４から読み出し、制御指令送信部２３を介して空調機器１０Ａ〜１０Ｄに送信するが、定時以降に翌日分のスケジュール情報を受信した場合には別途、以下の制御を行う。すなわち、スケジュール制御演算部２２は、各空調機器１０Ａ〜１０Ｄの翌日分の最新のスケジュール情報Ａ１ａを記憶部２４から読み出し、制御指令送信部２３を介して、各空調機器１０Ａ〜１０Ｄに対して送信する（Ｓ２２）。各空調機器１０Ａ〜１０Ｄは、受信した最新のスケジュール情報Ａ１ａを内部に記憶する。
【００２９】
［負荷側の制御］
空調機器１０Ａ〜１０Ｄは、日付変更の際に、内部に記憶した最新のスケジュール情報Ａ１ａを読み出し、スケジュール情報Ａ１ａに従って自律的に自己の制御を実施する（Ｓ２３）。これにより、負荷側機器１２Ａ〜１２Ｄは、スケジュール情報Ａ１ａに設定された時刻に、設定されたスケジュール内容の制御を実施する。
【００３０】
以上説明したように実施の形態１によれば、スケジュール情報を情報処理端末４０のスケジュール情報管理部４５で管理し、集中監視装置２０は情報処理端末４０から取得したスケジュール情報を空調機器１０Ａ〜１０Ｄに送信して制御する。情報処理端末４０のスケジュール情報管理部４５は、通常、組込み機器で構成される集中監視装置２０で用いる記憶部２４に比べて選択の自由度が高く、記憶部２４に比べて記憶容量の大きな記憶装置で構成できる。よって、多数のパターンのスケジュール情報を情報処理端末４０のスケジュール情報管理部４５で管理することができ、利用者は用途に応じて自由にスケジュールのパターンを作成することができる。その結果、利用者が求めるスケジュール制御を実現することが可能な空調管理システムを得ることができる。
【００３１】
実施の形態２．
実施の形態２は、集中監視装置２０が情報処理端末４０からのスケジュール情報の取得を失敗した場合の保護制御に関するものである。
【００３２】
実施の形態２の空調管理システムの構成は図１、図２に示した実施の形態１と同様である。また、図３、図４のスケジュール制御の通信シーケンスも実施の形態１と同様であり、実施の形態２は更に、第１保護制御が加わった点が実施の形態１と異なる。以下、実施の形態２が実施の形態１と異なる部分を中心に説明する。
【００３３】
［ベーススケジュール情報Ｂの設定］
利用者は、任意のタイミングで、リモートコントローラー３０、情報処理端末４０などから集中監視装置２０に、各空調機器１０Ａ〜１０Ｄのそれぞれのベーススケジュール情報Ｂを予め登録しておく。ベーススケジュール情報Ｂとは、各空調機器１０Ａ〜１０Ｄが動作するための基本的なスケジュール内容を特定した情報である。
【００３４】
図５は、本発明の実施の形態２に係る空調管理システムにおいて集中監視装置がスケジュール情報の取得を失敗した時の通信シーケンスを示すシーケンス図である。
【００３５】
［通常時の動作］
通常時の動作は図３と同様であり、情報処理端末４０は定時に翌日分と翌々日分のスケジュール情報Ａ１、Ａ２を集中監視装置２０に送信し（Ｓ３１）、集中監視装置２０はスケジュール情報Ａ１、Ａ２を受信し、翌日分のスケジュール情報Ａ１を空調機器１０Ａ〜１０Ｄに送信する（Ｓ３２）。
【００３６】
［スケジュール取得の失敗］
そして、日付変更ｄ１後、情報処理端末４０は、定時になると翌日分のスケジュール情報Ａ２（日付変更ｄ１後であるため、Ｓ３１における「翌々日分のスケジュール情報Ａ２」は「翌日分のスケジュール情報Ａ２」となる）と、翌々日分のスケジュール情報Ａ３とを集中監視装置２０に送信する（Ｓ３３）。この際、情報処理端末４０の停電、通信線５３の断線などが発生すると、集中監視装置２０はスケジュール情報Ａ２、Ａ３を取得することができない（Ｓ３４）。
【００３７】
［第１保護制御−１］
集中監視装置２０は、情報処理端末４０からスケジュール情報Ａ２、Ａ３を取得できなくとも、前日の定時において、記憶部２４にスケジュール情報Ａ１、Ａ２を記憶している。このため、集中監視装置２０は、前日までに取得して記憶部２４に記憶されている翌日分のスケジュール情報Ａ２を各空調機器１０Ａ〜１０Ｄに送信する（Ｓ３５）。
【００３８】
［負荷側の制御］
一方、空調機器１０Ａ〜１０Ｄは、日付変更ｄ１の際に、内部に記憶した本日のスケジュール情報Ａ１を読み出し、スケジュール情報Ａ１に従って自律的に自己の制御を実施する（Ｓ３６）。これにより、負荷側機器１２Ａ〜１２Ｄは、スケジュール情報Ａ１に設定された時刻に、設定されたスケジュール内容の制御を実施する。
【００３９】
［スケジュール取得の失敗］
そして、更に日付変更ｄ２されると、情報処理端末４０は、翌日分のスケジュール情報Ａ３と、翌々日分のスケジュール情報Ａ４を集中監視装置２０に送信する（Ｓ３７）。ここでは、前日に続いて再度、スケジュール情報の取得に失敗し、スケジュール情報Ａ３、Ａ４を取得することができなかったものとする（Ｓ３８）。
【００４０】
［第１保護制御−２］
集中監視装置２０は、定時になると空調機器１０Ａ〜１０Ｄに翌日分のスケジュール情報を送信しようとするが、本日と前日の両日、スケジュール情報の取得に失敗しているため、翌日のスケジュール情報Ａ３を保持しておらず、スケジュール情報Ａ３を送信できない。よって、この場合、集中監視装置２０は、予め取得したベーススケジュール情報Ｂを翌日のスケジュール情報として各空調機器１０Ａ〜１０Ｄに対して送信する（Ｓ３９）。
【００４１】
［負荷側の制御］
空調機器１０Ａ〜１０Ｄは、日付変更ｄ２の際に、内部に記憶した本日のスケジュール情報Ａ２を読み出し、スケジュール情報Ａ２に従って自律的に自己の制御を実施する（Ｓ４０）。そして、空調機器１０Ａ〜１０Ｄは、ベーススケジュール情報Ｂを受信した後の日付変更ｄ３の際には、内部に記憶したベーススケジュール情報Ｂを読み出し、ベーススケジュール情報Ｂに従って自律的に自己の制御を実施する（Ｓ４１）。
【００４２】
以上説明したように本実施の形態２によれば、実施の形態１と同様の効果が得られると共に、更に以下の効果が得られる。すなわち、集中監視装置２０は、情報処理端末４０からのスケジュール情報の取得に失敗した場合、予め設定されたベーススケジュール情報Ｂに従って空調機器１０Ａ〜１０Ｄを制御する。これにより、空調機器１０Ａ〜１０Ｄが、利用者の意図しない長期間に渡り、意図しない運転、停止などを継続することを防ぐことができる。このように集中監視装置２０が情報処理端末４０からスケジュール情報を取得できない場合でも、集中監視装置２０が持つ保護制御によって室内空調品質を保つことができる。
【００４３】
実施の形態３．
実施の形態３は、空調機器１０Ａ〜１０Ｄが集中監視装置２０からのスケジュール情報の取得を失敗した場合の保護制御に関するものである。
【００４４】
実施の形態３の空調管理システムの構成は図１、図２に示した実施の形態１と同様である。また、図３〜図５のスケジュール制御の通信シーケンスも実施の形態１、２と同様であり、実施の形態３は更に、第２保護制御が加わった点が実施の形態１、２と異なる。以下、実施の形態３が実施の形態１と異なる部分を中心に説明する。
【００４５】
［ベーススケジュール情報Ｂの設定］
利用者は、任意のタイミングで、リモートコントローラー３０、情報処理端末４０などから各空調機器１０Ａ〜１０Ｄに、各空調機器１０Ａ〜１０Ｄのそれぞれのベーススケジュール情報Ｂを予め登録しておく。ベーススケジュール情報Ｂとは、各空調機器１０Ａ〜１０Ｄが動作するための基本的なスケジュール内容を特定した情報である。
【００４６】
図６は、本発明の実施の形態３に係る空調管理システムにおいて負荷側機器がスケジュール情報の取得を失敗した時の通信シーケンスを示すシーケンス図である。
【００４７】
［スケジュール取得の失敗］
集中監視装置２０は、定時になると翌日分のスケジュール情報Ａ１を空調機器１０Ａ〜１０Ｄに送信する（Ｓ５１）。この際、集中監視装置２０の停電や、通信線５０Ａ〜５０Ｄ、５２の断線などが発生すると、空調機器１０Ａ〜１０Ｄはスケジュール情報Ａ１を取得することができない（Ｓ５２）。
【００４８】
［第２保護制御］
空調機器１０Ａ〜１０Ｄは、日付変更の際に、内部に記憶した本日のスケジュール情報を読み出そうとするが、前日に本日分のスケジュール情報の取得に失敗しているため、本日分のスケジュール情報Ａ１がない。この場合、空調機器１０Ａ〜１０Ｄは、予め取得したベーススケジュール情報Ｂに従って自律的に自己の制御を実施する（Ｓ５３）。
【００４９】
以上説明したように本実施の形態３によれば、実施の形態１及び実施の形態２と同様の効果が得られると共に、更に以下の効果が得られる。すなわち、各空調機器１０Ａ〜１０Ｄは、日付変更前までに、集中監視装置２０から翌日分のスケジュール情報を取得できない場合は、予め設定されたベーススケジュール情報Ｂに従って自律運転を行う。これにより、空調機器１０Ａ〜１０Ｄが、利用者の意図しない長期間に渡り、意図しない運転、停止などを継続することを防ぐことができる。このように、空調機器１０Ａ〜１０Ｄがスケジュール情報を取得できない場合でも、空調機器１０Ａ〜１０Ｄが持つ保護制御によって室内空調品質を保つことができる。
【００５０】
ところで上記説明では、情報処理端末４０から集中監視装置２０へ送信するスケジュール情報を翌日分と翌々日分とし、集中監視装置２０から空調機器１０Ａ〜１０Ｄへ送信するスケジュール情報を翌日分として述べたが、それ以降の日数分のスケジュール情報も送信するようにしてもよい。この場合、スケジュール可能となる期間が長くなることは言うまでも無い。
【符号の説明】
【００５１】
１０Ａ〜１０Ｄ  空調機器、１１Ａ〜１１Ｄ  熱源機、１２Ａ〜１２Ｄ  負荷側機器、１３Ａ〜１３Ｄ  冷媒配管、２０  集中監視装置、２１  スケジュール情報取得部、２２  スケジュール制御演算部、２３  制御指令送信部、２４  記憶部、３０  リモートコントローラー、４０  情報処理端末、４１  入力部、４２  表示部、４３  スケジュール情報受付部、４４  スケジュール情報送信部、４５  スケジュール情報管理部、５０Ａ〜５０Ｄ  通信線、５１  通信線、５２  通信線、５３  通信線、Ａ１  スケジュール情報、Ａ１ａ  スケジュール情報、Ａ２  スケジュール情報、Ａ３  スケジュール情報、Ａ４  スケジュール情報、Ｂ  ベーススケジュール情報、Ｓ  同一室内。
【図１】
0006029793.tif 000002
【図２】
0006029793.tif 000003
【図３】
0006029793.tif 000004
【図４】
0006029793.tif 000005
【図５】
0006029793.tif 000006
【図６】
0006029793.tif 000007